(57)【要約】      （修正有）【課題】開封の有無を確認し易い封印用のラベルシールを提供する。【解決手段】２つのスリット３１、３２を交差させた破断誘導線３を有する封印用のラベルシール１であって、破断誘導線３は、ラベルシール１の外周縁（短縁１０１、１０１、長縁１０２、１０２、角部１０３）から離れるにつれて２つのスリット３１、３２の離間距離が大きくなる向きで、２つのスリット３１、３２の交点３３をラベルシール１の外周縁（短縁１０１、１０１、長縁１０２、１０２、角部１０３）に向けて設けられている構成とした。【選択図】図１
0003207900.tif 000002
【実用新案登録請求の範囲】
【請求項１】
２つのスリットを交差させた破断誘導線を有する封印用のラベルシールであって、
前記破断誘導線は、前記ラベルシールの外周縁から離れるにつれて前記２つのスリットの離間距離が大きくなる向きで、前記２つのスリットの交点を前記ラベルシールの外周縁に向けて設けられていることを特徴とする封印用のラベルシール。
【請求項２】
前記破断誘導線は、前記ラベルシールの外周縁に沿う周方向に、間隔を空けて複数設けられていることを特徴とする請求項１に記載の封印用のラベルシール。
【請求項３】
前記破断誘導線は、前記ラベルシールの引き剥がし方向に沿う線分上に、前記２つのスリットの交点を位置させていることを特徴とする請求項１または請求項２に記載の封印用のラベルシール。
【請求項４】
前記２つのスリットは、前記線分を挟んで対称に設けられていることを特徴とする請求項３に記載の封印用のラベルシール。
【請求項５】
前記ラベルシールは、平面視において矩形形状を成す基部を有しており、前記線分は、前記基部の対角線および／または４等分線であることを特徴とする請求項３または請求項４に記載の封印用のラベルシール。
【請求項６】
前記ラベルシールの外周縁には、当該外周縁の周方向に沿って凹凸が設けられていることを特徴とする請求項１から請求項５に記載の封印用のラベルシール。
【考案の詳細な説明】
【技術分野】
【０００１】
本考案は、封印用のラベルシールに関する。
【背景技術】
【０００２】
従来、貴重品や機密性の高い書類等を梱包材で梱包する場合、当該梱包材の開口部に、不正に開封がなされたか否かを検知するための封印用のラベルシールを貼付けることが行われている。このような封印用のラベルシールとして、目視で開封の有無を確認できる紙やフィルム等からなるシールが知られている。
例えば、特許文献１には、不正に開封がなされた場合、梱包材側に文字又は絵柄等を残す封印用シールが開示されている。
【先行技術文献】
【特許文献】
【０００３】
【特許文献１】特開２０１０−２０２８５１号公報
【考案の概要】
【考案が解決しようとする課題】
【０００４】
特許文献１に開示されたラベルシール１００では、梱包材が倉庫などの暗い場所にあったり、文字又は絵柄等が梱包材と同色であったりすると、梱包材が開封されていても、目視で開封の有無を確認し難い場合がある。
そこで、開封の有無を確認し易い封印用のラベルシールが求められている。
【課題を解決するための手段】
【０００５】
本考案は、
２つのスリットを交差させた破断誘導線を有する封印用のラベルシールであって、
前記破断誘導線は、前記ラベルシールの外周縁から離れるにつれて前記２つのスリットの離間距離が大きくなる向きで、前記２つのスリットの交点を前記ラベルシールの外周縁に向けて設けられている構成の封印用のラベルシールとした。
【考案の効果】
【０００６】
本考案によれば、梱包材に貼り付けたラベルシールを剥がそうとすると、ラベルシールを剥がす過程で、ラベルシールが２つのスリットの交点を起点として破断する。
ラベルシールが剥がされて開封された場合には、その後、ラベルシールが戻されたとしても、ラベルシールの破断した部分は完全に元に戻らないので、ラベルシールの破断した箇所を視覚的に把握することができる。
よって、開封の有無を簡単に確認することができる。
【図面の簡単な説明】
【０００７】
【図１】実施の形態にかかる封印用のラベルシールを説明する図である。
【図２】封印用のラベルシールに形成された破断誘導線を説明する図である。
【図３】破断誘導線の作用を説明する図である。
【図４】変形例にかかる封印用のラベルシールを説明する図である。
【図５】変形例にかかる破断誘導線を有するラベルシールを説明する図である。
【０００８】
以下、本考案の実施の形態を説明する。
図１は、実施の形態にかかる封印用のラベルシール１を説明する図であり、（ａ）は、梱包材２の合わせ目Ｓをラベルシール１で、封印した状態を示す図であり、（ｂ）は、ラベルシール１の平面図であり、（ｃ）は、ラベルシール１を（ｂ）におけるＡ−Ａ線で切断した断面を模式的に示す図である。
【０００９】
図１の（ａ）に示すように、ラベルシール１は、梱包材２の蓋２１、２２の合わせ目Ｓを封印して、封印された梱包材２の開封の有無を確認できるようにするために用いられている。
梱包材２は、書類などを収容する有底箱状の本体部２０を有しており、この本体部２０の開口が、本体部２０から延びる一対の蓋２１、２２により閉じられるようになっている。
【００１０】
一対の蓋２１、２２は、互いの先端縁２１ａ、２２ａを略全長に亘って接触させた状態で、本体部２０の開口を閉じており、梱包材２では、これら先端縁２１ａ、２２ａに沿って合わせ目Ｓが生じている。
ラベルシール１は、合わせ目Ｓを横切って設けられており、合わせ目Ｓを挟んだ一方側の蓋２１と他方側の蓋２２の上面に、それぞれ貼り付けられている。
【００１１】
ラベルシール１は、折り曲げ可能な紙製の基材１０を有しており、この基材１０は、平面視において矩形形状を成している（図１の（ｂ）参照）。
【００１２】
図１の（ｃ）に示すように、基材１０は、当該基材１０の裏面の粘着層１１を、離型紙１２に貼り付けた状態で提供されるようになっており、ラベルシール１を用いて合わせ目Ｓを封印する際に、離型紙１２から剥がした基材１０を、梱包材２の所望の位置に貼り付けるようになっている（図１の（ａ）参照）。
【００１３】
ラベルシール１の基材１０には、後記する破断誘導線３が設けられており、この破断誘導線３は、基材１０と、この基材１０の裏面の粘着層１１と、を厚み方向に貫通している。
破断誘導線３は、対象物（梱包材２）に貼り付けられた状態のラベルシール１を引き剥がす途中で、基材１０が破断誘導線３を起点として破断するようにするために設けられている。
【００１４】
図２は、ラベルシール１の基材１０に設けられた破断誘導線３を説明する図であり、（ａ）は、図１の（ｂ）のＡ領域を拡大した図であり、（ｂ）は、図１の（ｂ）のＢ領域を拡大した図である。
【００１５】
図２の（ａ）に示すように、破断誘導線３は、互いに交差する向きで設けられた一対のスリット３１、３２から構成される。
実施の形態では、平面視において直線状を成すスリット３１、３２が、所定角度θ１で交差するように設けられて、破断誘導線３を構成しており、この破断誘導線３は、スリット３１、３２の交点３３が屈曲点となる線状に形成されている。
【００１６】
スリット３１、３２は、それぞれ同じ長さＬで形成されており、これらスリット３１、３２は、交点３３を通る仮想線（対角線Ｌｍ）を挟んで対称となる位置関係で設けられている。
そのため、破断誘導線３では、対角線Ｌｍに沿って交点３３から離れるにつれて、一方のスリット３１と他方のスリット３２との離間距離Ｌａが大きくなっており、平面視において破断誘導線３は、交点３３を頂点とした尖り形状を有している。
【００１７】
図１の（ｂ）に示すように、平面視において矩形形状を成すラベルシール１の基材１０では、破断誘導線３が、合計８箇所に設けられており、破断誘導線３の各々は、交点３３を基材１０の外周側に向けて設けられている。
【００１８】
ここで、梱包材２に貼り付けられたラベルシール１を引き剥がす場合、図１の（ｂ）に示すように、平面視において矩形形状の成す基材１０の４つの角部１０３と、互いに平行な短縁１０１、１０１と、そして短縁１０１、１０１の端部同士を接続する長縁１０２、１０２とが、引き剥がしの起点となることが予想される。
そして、この場合におけるラベルシール１の引き剥がし方向は、ラベルシール１の略対角線Ｌｍ、Ｌｎに沿う方向と、ラベルシール１の４等分線Ｌｘ、Ｌｙに沿う方向となると予想される。
【００１９】
そこで、実施の形態では、破断誘導線３の各々を、交点３３を、これら対角線Ｌｍ、Ｌｎ、４等分線Ｌｘ、Ｌｙのうちの何れかひとつの線分上に位置させると共に、交点３３を、角部１０３、短縁１０１、長縁１０２の何れかに対向させた向きで設けている。
そして、この状態において各破断誘導線３のスリット３１、３２は、破断誘導線３の交点３３が位置する線分を挟んで対象に設けられており、線分に沿って交点３３から離れるにつれて、スリット３１、３２の間の離間距離が大きくなる向きで設けられている。
【００２０】
具体的には、図２の（ａ）に示す破断誘導線３の場合、この破断誘導線３は、交点３３を対角線Ｌｍ上に位置させると共に、交点３３を角部１０３に対向させた向きで設けられている。そして、この破断誘導線３のスリット３１、３２は、対角線Ｌｍを挟んで対称に設けられており、対角線Ｌｍに沿って交点３３（角部１０３）から離れるにつれて、スリット３１、３２の間の離間距離Ｌａが大きくなる向きで設けられている。
【００２１】
また、図２の（ｂ）に示す破断誘導線３の場合、この破断誘導線３は、交点３３を４等分線Ｌｘ上に位置させると共に、交点３３を長縁１０２に対向させた向きで設けられている。そして、この破断誘導線３のスリット３１、３２は、４等分線Ｌｘを挟んで対称に設けられており、４等分線Ｌｘに沿って交点３３（長縁１０２）から離れるにつれて、スリット３１、３２の間の離間距離Ｌａが大きくなる向きで設けられている。
【００２２】
以下、ラベルシール１を用いた梱包材２の封印と、梱包材２に貼り付けられたラベルシール１を引き剥がした場合の作用を説明する。
【００２３】
前記したように、ラベルシール１の基材１０は、当該基材１０の裏面の粘着層１１を、離型紙１２に貼り付けた状態で提供される。
そのため、ラベルシール１で、梱包材２の合わせ目Ｓを封印する際には、基材１０を離型紙１２から剥がしたのち、剥がした基材１０を、合わせ目Ｓを横切る向きで、蓋２１、２２の上面に貼り付けることになる。
【００２４】
ここで、前記したよう破断誘導線３は、離型紙１２まで及んで形成されていないため、離型紙１２を剥がす前（未使用状態）のラベルシール１において、当該ラベルシール１に不必要な力が作用しても、ラベルシール１が破断誘導線３を基点として、簡単に破断しないようにされている。
【００２５】
例えば、図２の（ａ）に示す角部１０３を基点として、ラベルシール１を引き剥がす場合、ラベルシール１の基材１０は、当該基材１０の角部１０３から対角線Ｌｍに沿って引き剥がされることになる（図２の（ａ）における矢印Ｐｅ参照）。
【００２６】
ここで、基材１０の引き剥がしが開始されると、基材１０と蓋２１との界面に引き剥がし力が作用する。
そして、この引き剥がし力が作用する領域は、図３の（ａ）に示すように、引き剥がし方向（対角線Ｌｍ方向）に直交する線状の領域Ｍとなる。
【００２７】
この引き剥がし力が作用する線状の領域Ｍは、引き剥がしの進行に伴って、破断誘導線３に近づく方向に変位すると共に、対角線Ｌｍに直交する方向の領域Ｍの長さＬｂは、引き剥がしの進行に伴って長くなる（図３の（ａ）、（ｂ）参照）。
【００２８】
そして、引き剥がし力が作用する領域Ｍが破断誘導線３の交点３３に到達すると、スリット３１、３２は、交点３３から離れるにつれて離間距離Ｌａ（図２の（ａ）参照）が広くなっているので、以降、引き剥がしの進行に伴って、引き剥がし力が作用する領域Ｍが、対角線Ｌｍの一方側の領域Ｍ１と、他方側の領域Ｍ２とに分かれることになる（図３の（ｃ）参照）。
すなわち、引き剥がしの進行に伴って、領域Ｍ１と領域Ｍ２とに分かれた引き剥がし力が作用する領域が、対角線Ｌｍの直交方向で離れてゆくことになる。
【００２９】
そうすると、基材１０における破断誘導線３を挟んだ一方側の領域１０ａ（ラベルシール１の中央側の領域）には、引き剥がし力が作用せずに、他方側の領域１０ｂ（ラベルシール１の外周縁側の領域）にのみ、引き剥がし力が作用することになる。
よって、引き剥がし力が作用する領域Ｍが交点３３を超えた後は、引き剥がしの進行に伴って、基材１０が、破断誘導線３を挟んだ一方側の領域１０ａと他方側の領域１０ｂとに、破断誘導線３（スリット３１、３２）に沿って分離することになる（図３の（ｃ）参照）。
【００３０】
そして、スリット３１、３２の端点３１ａ、３２ａでは、引き剥がし力が作用する領域Ｍ１、Ｍ２が、対角線Ｌｍの直交方向に十分に離れているので、領域Ｍ１、Ｍ２が端点３１ａ、３２ａを超えると、基材１０は、端点３１ａ、３２ａを基点として破断することになる（図３の（ｄ）、符号ＢＫ参照）。
【００３１】
このように、破断誘導線３が、２つのスリット３１、３２の交点３３を、引き剥がし方向に沿う線分（対角線Ｌｍ）上で、基材１０の外周縁（角部１０３）に向けて設けられているので、基材１０を破断させずに引き剥がすことができないようになっている。
【００３２】
また、基材１０においる破断誘導線３よりも外周縁側の領域（領域１０ｂ）は、カールし易くなっているので、ラベルシール１を少しだけ引き剥がして戻したとしても、引き剥がされた領域がカールすることになるので、少なくとも引き剥がしが試みられたことを、視覚的に視認できるようになっている。
【００３３】
なお、図２の（ｂ）に示す破断誘導線３の部分でも、引き剥がし方向（４等分線Ｌｘ）方向に基材１０を引き剥がすと、同様の作用が発揮されて、基材１０が、破断誘導線３の端点３１ａ、３２ａを基点として破断することになる。
【００３４】
以上の通り、実施の形態では、
（１）２つのスリット３１、３２を交差させた破断誘導線３を有する封印用のラベルシール１であって、
破断誘導線３は、ラベルシール１の外周縁（短縁１０１、１０１、長縁１０２、１０２、角部１０３）から離れるにつれて２つのスリット３１、３２の離間距離Ｌａが大きくなる向きで、２つのスリット３１、３２の交点３３をラベルシール１の外周縁（短縁１０１、１０１、長縁１０２、１０２、角部１０３）に向けて設けられている構成とした。
【００３５】
このように構成すると、梱包材２に貼り付けたラベルシール１を剥がそうとすると、ラベルシール１を剥がす過程で、ラベルシール１の基材１０が２つのスリット３１、３２の交点３３を起点として分離する。
そして、ラベルシール１がさらに引き剥がされると、スリット３１、３２の端点３１ａ、３２ａを基点として、ラベルシール１の基材１０が破断する。
その後、ラベルシール１が戻されたとしても、ラベルシール１の破断した部分は完全に元に戻らないので、ラベルシール１の破断した箇所を視覚的に把握することができる。
よって、ラベルシール１で合わせ目Ｓが封印された梱包材２における開封の有無を簡単に確認することができる。
【００３６】
（２）破断誘導線３は、ラベルシール１の外周縁（短縁１０１、１０１、長縁１０２、１０２、角部１０３）に沿う周方向に、間隔を空けて複数設けられている構成とした。
【００３７】
ラベルシール１における引き剥がしの起点となり得る部位は、ラベルシール１の外周縁であるので、上記のように構成することで、ラベルシール１が周方向のどの位置から引き剥がされても、ラベルシール１を破断させることができる。
【００３８】
（３）破断誘導線３は、ラベルシール１の引き剥がし方向に沿う線分（対角線Ｌｍ、Ｌｎ、４等分線Ｌｘ、Ｌｙ）上に、２つのスリット３１、３２の交点３３を位置させている構成とした。
【００３９】
このように構成すると、ラベルシール１の引き剥がしの過程で、引き剥がし力が作用する領域Ｍ（Ｍ１、Ｍ２）が、破断誘導線３を横切ることになる。
これにより、引き剥がされた基材１０が、破断誘導線３を挟んで一方側（ラベルシール１の中央側）に位置する領域１０ａと、他方側（ラベルシール１の外周側）に位置する領域１０ｂとに確実に分離することになる。
これにより、基材１０が破断するまで引き剥がされなかった場合であっても、少なくとも他方側の領域１０ｂにカールが生じることになるので、このカールが生じた領域１０ｂを視覚的に捉えることができるので、引き剥がしの有無、すなわち開封の有無を確実に把握できるようになる。
【００４０】
（４）２つのスリット３１、３２は、引き剥がし方向に沿う線分を挟んで対称に設けられている構成とした。
【００４１】
このように構成すると、基材１０の引き剥がしの過程で、破断誘導線３を挟んで一方側（ラベルシール１の中央側）に位置する領域１０ａと、他方側（ラベルシール１の外周側）に位置する領域１０ｂとに確実に分離させることができる。
【００４２】
（５）ラベルシール１は、平面視において矩形形状を成す基材１０を有しており、引き剥がし方向に沿う線分は、基材１０の対角線Ｌｍ、Ｌｎ、４等分線Ｌｘ、Ｌｙである構成とした。
【００４３】
貼り付けられたラベルシール１を引き剥がす場合、平面視において矩形形状の成す基材１０の４つの角部１０３と、互いに平行な短縁１０１、１０１と、そして短縁１０１、１０１の端部同士を接続する長縁１０２、１０２とが、引き剥がしの起点となることが予想される。そして、この場合におけるラベルシール１の引き剥がし方向は、ラベルシール１の略対角線Ｌｍ、Ｌｎに沿う方向と、ラベルシール１の４等分線Ｌｘ、Ｌｙに沿う方向となると予想される。
【００４４】
よって、上記のように構成することで、ラベルシール１が、外周縁のどの位置から引き剥がされても、引き剥がし力が作用する領域Ｍ（Ｍ１、Ｍ２）を、引き剥がしの過程で破断誘導線３を横切らせることができ、引き剥がされた基材１０を、破断誘導線３の部分で一方側（ラベルシール１の中央側）に位置する領域１０ａと、他方側（ラベルシール１の外周側）に位置する領域１０ｂとに確実に分離させることができる。
【００４５】
図４は、変形例にかかるラベルシール１Ａを説明する図であり、図５は、変形例にかかる破断誘導線３Ｂを有するラベルシール１Ｂを説明する図である。
前記した実施の形態では、ラベルシール１の基材１０が、平面視において矩形形状である場合を例示したが、図４に示すように、楕円形状の基材１０Ａを有するラベルシール１Ａとしても良い。
【００４６】
この場合には、引き剥がし方向に沿う線分は、平面視において楕円形状を成す基材１０Ａの長軸Ｌｑ、短軸Ｌｐとなる場合が多いので、破断誘導線３の各々を、交点３３を、長軸および／または短軸Ｌｐ上に位置させた状態で、基材１０Ａの外周縁に向けて設けることで、ラベルシール１Ａの引き剥がしの有無を確認できるようになる。
【００４７】
また、前記した実施の形態では、破断誘導線３が、スリット３１、３２の交点３３が屈曲点となる線状に形成されている場合を例示したが、図５に示すように、２つのスリット３１、３２の交点３３が、スリット３１、３２の長手方向の途中位置に位置するように形成された破断誘導線３Ｂとしても良い。
【００４８】
さらに、図５に示すように、ラベルシール１の外周縁に、先端１５ａを外方に向けた尖り状の突出部１５を複数設けて、ラベルシール１の外周縁に、当該外周縁の周方向で連なる複数の突出部１５からなる凹凸を設けた構成のラベルシール１Ｂとしても良い。
この場合には、ラベルシール１Ｂを外周縁から引き剥がす際に、周方向で隣接する突出部１５、１５の間の基端１５ｂを支点として、ラベルシール１Ｂが破断し易くなる。
【００４９】
ここで、ラベルシール１が外周縁のどの位置から引き剥がされても、必ず凹凸の部分が引き剥がされるようにするために、複数の突出部１５からなる凹凸は、ラベルシール１の外周縁の全周に亘って設けることが好ましい。
しかし、複数の突出部１５からなる凹凸は、必ずしもラベルシール１の外周縁の全周に亘って設ける必要は無い。例えば、ラベルシール１の外周縁の一部のみに設けられていても良く、また、引き剥がし方向に沿う線分（対角線Ｌｍ、Ｌｎ、４等分線Ｌｘ、Ｌｙ）と交差する領域に設けられていても良い。
【符号の説明】
【００５０】
１、１Ａ、１Ｂ    ラベルシール
２      梱包材
３、３Ａ、３Ｂ    破断誘導線
１０、１０Ａ  基材
１０ａ  一方側の領域
１０ｂ  他方側の領域
１１    粘着層
１２    離型紙
２０    本体部
２１、２２    蓋
２１ａ、２２ａ  先端縁
３１、３２    スリット
３１ａ、３２ａ  端点
３３    交点
１００  ラベルシール
１０１  短縁
１０２  長縁
１０３  角部
Ｌａ    離間距離
Ｌｍ    対角線
Ｌｐ    短軸
Ｌｑ    長軸
Ｌｘ    ４等分線
Ｓ      合わせ目
【図１】
0003207900.tif 000003
【図２】
0003207900.tif 000004
【図３】
0003207900.tif 000005
【図４】
0003207900.tif 000006
【図５】
0003207900.tif 000007